(57)【特許請求の範囲】
【請求項１】
通信回線を介して入力される入力情報から発呼側の識別情報を受信する受信手段と、
前記受信手段が前記識別情報を受信したか否かを判断する識別情報受信判断手段と、
呼出識別データを入力する複数の入力キーと、
前記入力キーを光らせる点灯手段と、
前記通信回線の閉結を指示する閉結入力手段と、
送受話器が載置される送受話器載置手段と、
前記識別情報受信判断手段によって前記識別情報が受信したと判断された場合には、前記識別情報を表示するように前記点灯手段を点灯制御する点灯制御手段と、
着呼時、前記識別情報受信判断手段により前記識別情報を受信したと判断された場合には、前記閉結入力手段による閉結指示を条件として前記通信回線を閉結させ、前記識別情報を受信していないと判断された場合には、前記送受話器が前記送受話器載置手段から取り外されたことを条件として、前記通信回線を閉結させる閉結制御手段とを備えたことを特徴とする通信端末装置。
【請求項２】
前記点灯制御手段は、前記識別情報を構成する個々の情報を順次表示するように前記点灯手段を点灯制御することを特徴とする請求項１に記載の通信端末装置。
【請求項３】
前記点灯制御手段は、前記閉結入力手段を介して回線閉結が指示された場合には、前記識別情報の表示を停止することを特徴とする請求項１又は請求項２に記載の通信端末装置。
【請求項４】
前記点灯制御手段は、前記送受話器が前記送受話器載置手段から取り外された場合には、前記点灯手段を介して前記識別情報を所定回数表示後、前記通信回線を閉結することを特徴とする請求項１又は請求項２に記載の通信端末装置。
【請求項５】
前記識別情報は、前記発呼側の電話番号であることを特徴とする請求項１乃至請求項４のいずれかに記載の通信端末装置。
【請求項６】
前記通信端末装置は、親機と少なくとも１つの子機とから構成されていることを特徴とする請求項１乃至請求項５のいずれかに記載の通信端末装置。
【発明の詳細な説明】
【０００１】
【発明の属する技術分野】
本発明は、通信回線を介して入力される入力情報から発呼側の識別情報を受信する受信手段を備えた通信端末装置に関し、特に、この識別情報を受信した場合に、呼出識別データを入力する入力キーを点灯制御して該識別情報を表示することにより、通信回線閉結前に発信者を知ることが可能な通信端末装置に関するものである。
【０００２】
【従来の技術】
従来より、電話機等の通信端末装置においては、通信回線を介して入力される入力情報から発呼側の識別情報を受信した場合に、この識別情報をＬＣＤ等により構成される表示部に表示して、発呼者の電話番号等の識別情報を受信者に知らせる通信端末装置や、予め相手先の電話番号、相手先名、住所等を記録するメモリを備え、通信回線を介して入力される入力情報から発呼側の識別情報を受信した場合に、ＬＣＤ等により構成される表示部に発呼者の相手先名等を表示して受信者に知らせる通信端末装置が知られている。
【０００３】
【発明が解決しようとする課題】
しかしながら、このような通信端末装置においては、子機等にはＬＣＤ等により構成される表示部が設けられていないため、着呼者が子機を使用する場合に、回線閉結前に発呼者の識別を行うことができないという問題がある。また、子機にＬＣＤ等により構成される表示部を設けると部品点数の増加及び製造コストアップになるという問題がある。
【０００４】
そこで、本発明は、上述した問題点を解決するためになされたものであり、通信回線を介して入力される入力情報から発呼側の識別情報を受信した場合に、子機等の呼出識別データを入力する入力キーを点灯制御して該識別情報を表示することにより、通信回線閉結前に発信者を知ることが可能となると共に、部品点数及び製造コストの増加を抑えることが可能な通信端末装置を提供することを目的とする。
【０００５】
【課題を解決するための手段】
前記目的を達成するため請求項１に係る通信端末装置は、通信回線を介して入力される入力情報から発呼側の識別情報を受信する受信手段と、前記受信手段が前記識別情報を受信したか否かを判断する識別情報受信判断手段と、呼出識別データを入力する複数の入力キーと、前記入力キーを光らせる点灯手段と、前記通信回線の閉結を指示する閉結入力手段と、送受話器が載置される送受話器載置手段と、前記識別情報受信判断手段によって前記識別情報が受信したと判断された場合には、前記識別情報を表示するように前記点灯手段を点灯制御する点灯制御手段と、着呼時、前記識別情報受信判断手段により前記識別情報を受信したと判断された場合には、前記閉結入力手段による閉結指示を条件として前記通信回線を閉結させ、前記識別情報を受信していないと判断された場合には、前記送受話器が前記送受話器載置手段から取り外されたことを条件として、前記通信回線を閉結させる閉結制御手段とを備えたことを特徴とする。
【０００６】
このような特徴を有する請求項１に係る通信端末装置によれば、通信回線を介して入力される入力情報から発呼側の識別情報を受信手段により受信した場合には、この識別情報を表示するように呼出識別データを入力する入力キーが、制御手段により点灯制御される。
これにより、着呼者は、点灯制御される呼出識別データを入力する入力キーを見ることにより、発呼者を知ることが可能となり、その発呼側からの呼び出しに適切に対応することが可能となる。また、ＬＣＤ等の表示部を新たに設ける必要がないため、部品点数及び製造コストの増加を防止することが可能となる。
【０００７】
また、請求項２に係る通信端末装置は、請求項１に記載の通信端末装置において、前記点灯制御手段は、前記識別情報を構成する個々の情報を順次表示するように前記点灯手段を点灯制御することを特徴とする。
【０００８】
このような特徴を有する請求項２に係る通信端末装置によれば、請求項１に記載の通信端末装置において、前記点灯手段は、前記識別情報を構成する個々の情報を順次表示するように前記制御手段により点灯制御されるため、発呼側の識別情報を正確に知ることが可能となると共に、発呼側からの呼び出しに対してより適切に対応することが可能となる。
【０００９】
また、請求項３に係る通信端末装置は、請求項１又は請求項２に記載の通信端末装置において、前記点灯制御手段は、前記閉結入力手段を介して回線閉結が指示された場合には、前記識別情報の表示を停止することを特徴とする。
【００１０】
このような特徴を有する請求項３に係る通信端末装置によれば、請求項１又は請求項２に記載の通信端末装置において、回線閉結を指示する閉結入力手段を介して回線閉結が指示されると、前記識別情報の表示が停止し、通信回線が閉結される。
これにより、前記閉結入力手段を介して回線閉結が指示されるまで、前記識別情報が表示されるため、通信回線を閉結することなく確実に発呼者を知ることが可能となると共に、より適切に対応することが可能となる。
【００１１】
また、請求項４に係る通信端末装置は、請求項１又は請求項２に記載の通信端末装置において、前記点灯制御手段は、前記送受話器が前記送受話器載置手段から取り外された場合には、前記点灯手段を介して前記識別情報を所定回数表示後、前記通信回線を閉結することを特徴とする。
【００１２】
このような特徴を有する請求項４に係る通信端末装置によれば、請求項１又は請求項２に記載の通信端末装置において、前記通信端末装置は、この通信端末装置が充電される充電手段から取り外された場合には、前記識別情報が前記点灯手段を介して所定回数表示された後に、通信回線が閉結される。
これにより、着呼者は、前記通信端末装置を充電手段から取り外した場合に、前記識別情報が所定回数表示されるため、発呼側を知ることが可能となると共に、適切に対応することが可能となる。
【００１３】
また、請求項５に係る通信端末装置は、請求項１乃至請求項４のいずれかに記載の通信端末装置において、前記識別情報は、前記発呼側の電話番号であることを特徴とする。
【００１４】
このような特徴を有する請求項５に係る通信端末装置によれば、請求項１乃至請求項４のいずれかに記載の通信端末装置において、前記識別情報は、発呼側の電話番号であるため、着呼者は、発呼者をより正確に、且つ容易に知ることが可能となると共に、より適切に対応することが可能となる。
【００１５】
さらに、請求項６に係る通信端末装置は、請求項１乃至請求項５のいずれかに記載の通信端末装置において、前記通信端末装置は、親機と少なくとも１つの子機とから構成されていることを特徴とする。
【００１６】
このような特徴を有する請求項６に係る通信端末装置によれば、請求項１乃至請求項５のいずれかに記載の通信端末装置において、前記通信端末装置は、親機と少なくとも１つの子機とから構成されているため、子機にＬＣＤ等の表示部が搭載されていない場合においても、子機の呼出識別データを入力する入力キーを前記識別情報を表示するように光らせることにより、着呼者は、子機を使用した場合においても、発呼者を知ることが可能となり、その発呼側からの呼び出しに適切に対応することが可能となる。また、子機に、ＬＣＤ等の表示部を新たに設ける必要がないため、子機の部品点数及び製造コストの増加を防止することが可能となる。
【００１７】
【発明の実施の形態】
以下、本発明に係る通信端末装置について、本発明をコードレス電話機につき具体化した実施形態に基づいて図面を参照しつつ詳細に説明する。先ず、本実施形態に係るコードレス電話機の概略構成について図１及び図２に基づき説明する。図１は本実施形態に係るコードレス電話機の親機の要部の回路ブロック図である。図２は本実施形態に係るコードレス電話機の子機の要部の回路ブロック図である。
【００１８】
図１において、親機１の概略回路構成は、ＣＰＵ２、ＮＣＵ３、パネル４、無線送受信部５、アンテナ６、アンプ部７、及びスピーカ８等を備えている。ＣＰＵ２、ＮＣＵ３、パネル４、無線送受信部５、及びアンプ部７は、バス線により相互に接続されている。また、無線送受信部５には、アンテナ６が接続され、アンプ部７には、スピーカ８が接続されている。
【００１９】
ＣＰＵ２は、ＲＯＭ、ＥＥＰＲＯＭ、及びＲＡＭ等が搭載されており、ＲＯＭに記憶されている後述する制御プログラムに従って親機１全体を制御する。ＮＣＵ３は、電話回線に接続されて網制御を行う。パネル４は、キースイッチ群等からなり、使用者の操作に応じた操作信号を出力する。無線送受信部５は、子機１０（図２参照）に送信すべき後述の情報を変調してアンテナ６を介して送出すると共に、子機１０からの情報を受信し、復調してＣＰＵ２又はＮＣＵ３に出力する。アンプ部７は、ＣＰＵ２の制御により音声情報や報知情報を増幅してスピーカ８に出力する。
【００２０】
ここで、ＣＰＵ２及びＮＣＵ３は、後述する処理において行われる電話回線を介して入力される入力情報から発呼側の識別情報を受信する受信手段を構成している。
【００２１】
次に、図２において、子機１０の概略回路構成は、ＣＰＵ１１、パネル１２、無線送受信部１３、アンテナ１４、アンプ部１５、スピーカ１６、及びマイク１７等を備えている。ＣＰＵ１１、パネル１２、無線送受信部１３、及びアンプ部１５は、バス線により相互に接続されている。また、無線送受信部１３には、アンテナ１４が接続され、アンプ部１５には、スピーカ１６及びマイク１７が接続されている。尚、子機１０は、後述するように充電手段としての不図示の充電器に載置されている。
【００２２】
ＣＰＵ１１は、ＲＯＭ、ＥＥＰＲＯＭ、及びＲＡＭ等が搭載されており、このＲＯＭに記憶されている後述する制御プログラムに従って子機１０全体を制御する。パネル１２は、キースイッチ群等からなり、使用者の操作に応じた操作信号を出力し、後述するように発呼者の識別情報を表示する。また、パネル１２には、後述するように入力キーを光らせる点灯手段としての不図示の点灯回路が設けられている。無線送受信部１３は、親機１に送信すべき後述の情報を変調してアンテナ１４を介して送出すると共に、親機１からの情報を受信し、復調してＣＰＵ１１に出力する。この意味で、無線送受信部１３は受信手段を構成する。アンプ部１５は、ＣＰＵ１１の制御により音声情報や報知情報を増幅してスピーカ８に出力し、マイク１７からの音声情報等を変調してＣＰＵ１１に出力する。
【００２３】
ここで、ＣＰＵ１１は、無線送受信部１３によって発呼側の電話番号を受信した場合、その電話番号情報を点灯回路に点灯制御させるので、制御手段として機能する。
【００２４】
次に、このように構成された子機１０のパネル１２について図３に基づいて説明する。図３は本実施形態に係る子機１０のパネル１２の要部正面図である。
図３に示すように、子機１０のパネル１２の正面には、入力キーとして、１２個のダイヤルキー２１、外線キー２２、内線／保留キー２３、短縮キー２４、リダイヤル／ポーズキー２５、キャッチキー２６、切りキー２７、及び音量キー２８が設けられている。
【００２５】
ダイヤルキー２１は、使用者が被呼先を特定するための呼出識別データとしての電話番号等を入力するためのものである。外線キー２２は、外線にアクセスするときに使用するためのものである。内線／保留キー２３は、内線にアクセスするときや、外線を保留しておくときに使用するためのものである。短縮キー２４は、短縮ダイヤルを使用するためのものである。リダイヤル／ポーズキー２５は、リダイヤル及びポーズのために使用するものである。キャッチキー２６は、キャッチホンを受けるために使用するものである。切りキー２７は、通話を終了するときに使用するためのものである。音量キー２８は、スピーカ１６の出力音量を調整するために使用するものである。尚、１２個のダイヤルキー２１、外線キー２２、及び内線／保留キー２３の各キーの内側には、光らせるための不図示のＬＥＤ等により構成される点灯手段が設けられている。
【００２６】
ここで、外線キー２２は、回線閉結を指示する閉結入力手段として機能する。
【００２７】
次に、このように構成されたコードレス電話機の子機１０における発呼側の識別情報である発信者の電話番号の表示処理について図４に基づいて説明する。図４は本実施形態に係るコードレス電話機の子機１０における発信者の電話番号表示処理のフローチャートである。
【００２８】
先ず、図４に示されるように、ステップ（以下、Ｓと略記する）１において、子機１０のＣＰＵ１１は、無線送受信部１３を介して親機１からの着信信号を検出したか否か判定する。そして、親機１からの着信信号を検出していない場合は（Ｓ１：ＮＯ）、親機１からの着信信号を検出するまで待つ。
また、親機１からの着信信号を検出した場合は（Ｓ１：ＹＥＳ）、アンプ部１５を介してスピーカ１６により呼び出し音の鳴動を開始する（Ｓ２）。
【００２９】
次に、Ｓ３において、親機１からの通信回線を介して入力された入力情報から発呼側の識別情報である発信者の電話番号の情報が、無線送受信部１３を介して入力されているか否か判定する。そして、入力されている場合には（Ｓ３：ＹＥＳ）、この発信者の電話番号をＲＡＭに記憶する。
【００３０】
続いて、Ｓ４において、ダイヤルキー２１、外線キー２２、及び内線／保留キー２３の各キーの内側に設けられているＬＥＤ等を所定時間（本実施形態では、約０．５秒間）全部点灯する。そして、これらのＬＥＤ等を全部消した後に、発信者の電話番号をＲＡＭから読み出し、この電話番号に対応するダイヤルキー２１の１０キーをこの電話番号順に順次、所定時間（本実施形態では、約０．５秒間）ずつ点灯し、最後の電話番号まで点灯すると、各キーの内側に設けられているＬＥＤ等を所定時間（本実施形態では、約０．５秒間）全部消灯する。そして、この点灯処理を繰り返し行う。これにより、発信者の電話番号が、繰り返し、順次点灯表示される。
【００３１】
また、Ｓ３において、発信者の電話番号の情報が、無線送受信部１３を介して入力されていない場合には、ダイヤルキー２１、外線キー２２、及び内線／保留キー２３の各キーの内側に設けられているＬＥＤ等の点灯は行われない（Ｓ３：ＮＯ）。
【００３２】
そして、子機１０が充電器から外されるのを待ち（Ｓ５：ＹＥＳ）、外された場合、即ち、使用者が子機１０を取り上げた場合には、呼び出し音を停止すると共に、再度、子機１０のＣＰＵ１１は、発信者の電話番号の情報が、無線送受信部１３を介して入力されているか否か判定する（Ｓ６）。そして、発信者の電話番号の情報が、無線送受信部１３を介して入力されている場合には（Ｓ６：ＹＥＳ）、続いて、Ｓ７において、外線キー２２が押下されているか否か判定する。
【００３３】
そして、外線キー２２が押下されていない場合には（Ｓ７：ＮＯ）、子機１０が充電器にセットされたか否か、即ち、子機１０による通話を中止したか否か判定する（Ｓ８）。そして、子機１０が充電器にセットされていない場合には（Ｓ８：ＮＯ）、再度、Ｓ７以降の処理を実行する。
【００３４】
また、子機１０が充電器にセットされた場合には（Ｓ８：ＹＥＳ）、通話を中止したと判断して、ダイヤルキー２１、外線キー２２、及び内線／保留キー２３の各キーの内側に設けられているＬＥＤ等の点灯処理を停止する（Ｓ９）。即ち、発信者の電話番号表示処理を終了する。
【００３５】
続いて、Ｓ１０において、親機１に無線送受信部１３を介して回線開放を指示する情報を送信する。そして、再度、Ｓ１以降の処理を実行する。
【００３６】
また、Ｓ７において、外線キー２２が押下された場合には（Ｓ７：ＹＥＳ）、ダイヤルキー２１、外線キー２２、及び内線／保留キー２３の各キーの内側に設けられているＬＥＤ等の点灯処理を停止する（Ｓ１１）。即ち、発信者の電話番号表示処理を終了する。
【００３７】
そして、子機１０は、回線閉結指示情報を親機１に無線送受信部１３を介して送信して、回線閉結処理を行い、通話を開始する（Ｓ１２）。
【００３８】
続いて、子機１０が充電器にセットされたか否か、即ち、子機１０による通話を中止したか否か判定する（Ｓ１３）。そして、子機１０が充電器にセットされた場合には（Ｓ１３：ＹＥＳ）、子機１０による通話が中止されたと判定して、Ｓ１０以降の処理を実行する。
【００３９】
また、子機１０が充電器にセットされていない場合には（Ｓ１３：ＮＯ）、外線キー２２が押下されているか否か判定する（Ｓ１４）。そして、外線キー２２が押下されていない場合には（Ｓ１４：ＮＯ）、再度、Ｓ１３以降の処理を実行する。
また、外線キー２２が押下された場合には（Ｓ１４：ＹＥＳ）、子機１０による通話が中止されたと判定して、Ｓ１０以降の処理が実行される。
【００４０】
また、Ｓ６において、発信者の電話番号の情報が、無線送受信部１３を介して入力されていない場合には（Ｓ６：ＮＯ）、Ｓ１２以降の処理が実行される。
【００４１】
以上詳細に説明した通り本実施形態に係るコードレス電話機では、親機１から子機１０に、着信信号送信後、発信者の電話番号情報が送信される（Ｓ１〜Ｓ３）。そして、子機１０は、この発信者の電話番号情報を受信すると（Ｓ３：ＹＥＳ）、この電話番号順に、ダイヤルキー２１の１０キーを順次点灯して電話番号表示を行う（Ｓ４〜Ｓ７）。そして、子機１０は、外線キー２２を押下されるか、再度、充電器にセットされ直されるまでこの電話番号表示を続ける（Ｓ７〜Ｓ９、Ｓ７及びＳ１１）。
したがって、子機１０の使用者は、ダイヤルキー２１の１０キーの点灯を見ることにより、発信者の電話番号を知ることが可能となり、その発信者からの呼び出しに適切に対応することが可能となる。また、子機１０には、発信者の電話番号等を表示するためにＬＣＤ等の表示部を新たに設ける必要がないため、部品点数及び製造コストの増加を防止することが可能となる。また、子機１０の使用者が、外線キー２２を押下するか、再度、充電器にセットし直すまで、この電話番号の表示が続けられるため、回線を閉結することなく確実に発信者を知ることが可能となると共に、発信者からの呼び出しにより適切に対応することが可能となる。
【００４２】
尚、本発明は前記実施形態に限定されることはなく、本発明の要旨を逸脱しない範囲内で種々の改良、変形が可能であることは勿論である。例えば、上記実施形態では、親機１からの着信信号検出後発信者電話番号情報を受信した場合にダイヤルキー２１の１０キーの発光を開始して、発信者の電話番号表示を行っているが、発信者電話番号情報を受信後充電器から外された場合にダイヤルキー２１の１０キーの発光を開始して、発信者の電話番号表示を行うようにしてもよい。これにより、充電器にセットされた子機１０が、ダイヤルキー２１を充電器側に向けてセットされている場合には、発信者の電話番号表示が行われず、子機１０の省電力化を図ることが可能となる。
また、上記実施形態においては、子機１０は、外線キー２２を押下されるか、再度、充電器にセットされ直されるまで、ダイヤルキー２１の１０キーを順次点灯して電話番号表示を続ける構成になっているが、子機１０は、発信者電話番号情報を受信後充電器から外された場合にダイヤルキー２１の１０キーの発光を開始して、発信者の電話番号表示を数回（例えば、２回）行った後、発信者の電話番号表示を終了して回線閉結処理を行うようにしてもよい。
さらに、上記実施形態においては、発信者の電話番号表示を子機１０のみが行っていたが、親機１のパネル４に配置されているダイヤルキーの１０キーも順次点灯して、親機１も発信者の電話番号表示を行うようにしてもよい。これにより、親機１のパネル４にＬＣＤ等の表示部が設けられていなくても、発信者の電話番号表示をすることが可能となる。
【００４３】
【発明の効果】
以上説明した通り本発明は、通信回線を介して入力される入力情報から発呼側の識別情報を受信した場合に、子機等の呼出識別データを入力する入力キーを点灯制御して該識別情報を表示することにより、通信回線閉結前に発信者を知ることが可能となると共に、部品点数及び製造コストの増加を抑えることが可能な通信端末装置を提供することができる。
【図面の簡単な説明】
【図１】  本実施形態に係るコードレス電話機の親機の要部の回路ブロック図である。
【図２】  本実施形態に係るコードレス電話機の子機の要部の回路ブロック図である。
【図３】  本実施形態に係る子機のパネルの要部正面図である。
【図４】  本実施形態に係るコードレス電話機の子機における発信者の電話番号表示処理のフローチャートである。
【符号の説明】
１  親機
２、１１  ＣＰＵ
３  ＮＣＵ
４、１２  パネル
５、１３  無線送受信部
６、１４  アンテナ
７、１５  アンプ部
８、１６  スピーカ
１０  子機
１７  マイク
２１  ダイヤルキー
２２  外線キー
２３  内線キー
２４  短縮キー
２５  リダイヤル／ポーズキー
２６  キャッチキー
２７  切りキー
２８  音量キー
【図１】
0003858452.tif 000002
【図２】
0003858452.tif 000003
【図３】
0003858452.tif 000004
【図４】
0003858452.tif 000005